(57)【要約】低温冷媒とブラインとの熱交換、ブラインと水素ガスとの熱交換を効率よく行うことができ、冷却設備の小型化や設備費の低減を図れる熱交換器であって、ブラインが充填される真空断熱された容器１２と、該容器の上部開口を塞ぐ蓋１３と、前記容器の軸線方向に配設した回転軸１４と、該回転軸に設けられたプロペラ１５と、前記回転軸及びプロペラの周囲に上下２段に配設された螺旋状の水素ガス冷却管１６，１７と、該水素ガス冷却管の周囲に配設されたブライン冷却用の冷媒管１８とを備えている熱交換器。
2013002161.tif 000002
【特許請求の範囲】
【請求項１】
低温冷媒で冷却されたブラインで水素ガスを冷却する熱交換器において、該熱交換器は、ブラインが充填される真空断熱された容器と、該容器の上部開口を塞ぐ蓋と、前記容器の軸線方向に配設された回転軸と、該回転軸に設けられたプロペラと、前記回転軸及びプロペラの周囲に配設された螺旋状の水素ガス冷却管と、該水素ガス冷却管の周囲に配設されたブライン冷却用の冷媒管とを備えていることを特徴とする熱交換器。
【請求項２】
前記水素ガス冷却管は、複数の水素ガス冷却管を上下多段に配設していることを特徴とする請求項１記載の熱交換器。
【請求項３】
前記冷媒管は、環状の上部マニホールドと環状の下部マニホールドとに上下端を連通状態に接続して、下端から上端方向に冷媒を流通させることを特徴とする請求項１記載の熱交換器。
【請求項４】
前記蓋の内面と容器内のブラインの液面との間の気相部にドライガスを供給することを特徴とする請求項１記載の熱交換器。
【請求項５】
前記容器の底部には、容器内に充填されているブラインを排出するためのドレインが設けられていることを特徴とする請求項１記載の熱交換器。
【請求項６】
前記容器は、縦長有底円筒状を呈し、容器下部を３本以上の支持脚にて支持されて、軸線を垂直にして自立できることを特徴とする請求項１記載の熱交換器。
【請求項７】
前記低温冷媒は、冷凍サイクルを用いた冷凍機の低温冷媒であることを特徴とする請求項１記載の熱交換器。
【請求項８】
低温冷媒で冷却されたブラインで水素ガスを冷却する熱交換器において、該熱交換器は、ブラインが充填される真空断熱された二重壁構造の縦長有底円筒状の容器と、該容器の上部開口を塞ぐ円盤状の蓋と、該蓋の中心を貫通して容器の軸線方向に配設された回転軸と、該回転軸に設けられたプロペラと、前記回転軸及びプロペラの周囲に配設された螺旋状の水素ガス冷却管と、該水素ガス冷却管の周囲に配設されて、環状の上部マニホールドと環状の下部マニホールドとに上下端を連通状態に接続して、下部マニホールドに連通する冷媒導入管から供給される冷媒を上部マニホールドに連通する冷媒導出管から排出する複数本のブライン冷却用の冷媒管とを備え、前記回転軸、前記水素ガス冷却管、前記複数のブライン冷却用冷媒管及び容器は、平面視、前記回転軸を中心にして内側から、前記プロペラ、前記水素ガス冷却管、複数のブライン冷却用冷媒管及び容器の順に同心円上に配置されていることを特徴とする熱交換器。
【請求項９】
前記低温冷媒は、冷凍サイクルを用いた冷凍機の低温冷媒であることを特徴とする請求項８記載の熱交換器。
【発明の詳細な説明】
【技術分野】
【０００１】
本発明は、熱交換器に関し、より詳しくは、水素自動車の燃料タンク等へ水素ガスを充填する設備に設けられる水素ガス冷却用熱交換器に適した熱交換器に関する。
【背景技術】
【０００２】
燃料電池自動車のような水素自動車の燃料として用いられる水素ガスは、水素ガスが流れる経路に設けられている各種弁や流量計等の部分で断熱膨張すると、ジュールトムソン効果によって温度が上昇するという性質を有している。したがって、水素ガス供給源から水素自動車に水素ガスを充填する経路に設けられている弁等を通過する際のジュールトムソン効果により水素ガスの温度が上昇するとともに、水素ガスを水素自動車の燃料タンクに高圧に圧縮充填するための圧縮熱によっても水素ガスの温度が上昇する。【０００３】
このように水素ガスの温度が上昇すると、燃料タンクの使用上限温度である８５℃を超える問題や、充填後の冷却に伴う圧力降下等の問題が発生するため、水素ガスが流れる経路に冷却設備を配置し、この冷却設備で水素ガスを冷却しながら水素自動車に水素を充填する装置や方法が各種提案されている。【０００４】
水素ガスを冷却するための冷却設備としては、冷凍機の低温冷媒との熱交換によりブラインを冷却して貯槽に貯留し、該貯槽に貯留した低温のブラインによって水素ガスを冷却する方式のものや（例えば、特許文献１参照。）、液化窒素のような液化ガスと水素ガスとを熱交換させて水素ガスを冷却するものが提案されている（例えば、特許文献２参照。）。
【先行技術文献】
【特許文献】
【０００５】
【特許文献１】特開２００８−１６４１７７号公報
【特許文献２】特開２００８−２６７４９６号公報
【発明の開示】
【発明が解決しようとする課題】
【０００６】
しかし、特許文献１に記載された冷却設備では、冷凍サイクルの低温冷媒とブラインとを熱交換させる熱交換器、ブラインと水素ガスとを熱交換させる熱交換器、ブライン貯槽、ブライン循環用の配管及びポンプ等が必要であることから、設備が複雑になり、設置面積も大きく、設備費が高額なものとなっていた。また、特許文献２に記載された冷却設備では、熱交換器が１基で済むことから設備の小型化や簡略化を図ることは可能であるが、水素ガスとの熱交換によって消耗する液化ガスを常に補充する必要があるため、ランニングコストが大幅に上昇するという問題がある。【０００７】
そこで本発明は、低温冷媒とブラインとの熱交換、ブラインと水素ガスとの熱交換を効率よく行うことができ、冷却設備の小型化や設備費の低減を図れる熱交換器を提供することを目的としている。
【課題を解決するための手段】
【０００８】
上記目的を達成するため、本発明に係る低温冷媒で冷却されたブラインで水素ガスを冷却する熱交換器は、ブラインが充填される真空断熱された容器と、該容器の上部開口を塞ぐ蓋と、前記容器の軸線方向に配設された回転軸と、該回転軸に設けられたプロペラと、前記回転軸及びプロペラの周囲に配設された螺旋状の水素ガス冷却管と、該水素ガス冷却管の周囲に配設されたブライン冷却用の冷媒管とを備えていることを特徴としている。【０００９】
また、上記熱交換器は、前記水素ガス冷却管が、複数の水素ガス冷却管を上下多段に配設していること、前記冷媒管は、環状の上部マニホールドと環状の下部マニホールドとに上下端を連通状態に接続して、下端から上端方向に冷媒を流通させること、前記蓋の内面と容器内のブラインの液面との間の気相部にドライガスが供給されていること、前記容器の底部には、容器内に充填されているブラインを排出するためのドレインが設けられていること、前記容器は、縦長有底円筒状を呈し、容器下部を３本以上の支持脚にて支持されて、軸線を垂直にして自立できること、前記低温冷媒は冷凍サイクルを用いた冷凍機の低温冷媒であることが好ましい。【００１０】
さらに、低温冷媒で冷却されたブラインで水素ガスを冷却する熱交換器は、ブラインが充填される真空断熱された二重壁構造の縦長有底円筒状の容器と、該容器の上部開口を塞ぐ蓋と、該蓋の中心を貫通して容器内に軸線方向に挿入される回転軸と、該回転軸に設けられたプロペラと、前記回転軸及びプロペラの周囲に配設された螺旋状の水素ガス冷却管と、該水素ガス冷却管の周囲に配設されて、環状の上部マニホールドと環状の下部マニホールドとに上下端を連通状態に接続して、下部マニホールドに連通する冷媒導入管から供給される冷媒を上部マニホールドに連通する冷媒導出管から排出する複数本のブライン冷却用の冷媒管とを備え、前記回転軸、前記水素ガス冷却管、前記複数のブライン冷却用冷媒管及び容器は、平面視、前記回転軸を中心にして内側から、前記プロペラ、前記水素ガス冷却管、複数のブライン冷却用冷媒管及び容器の順に同心円上に配置されていることを特徴としている。また、前記低温冷媒は冷凍サイクルを用いた冷凍機の低温冷媒であることが好ましい。
【発明の効果】
【００１１】
本発明によれば、低温サイクルの低温冷媒によってブラインを冷却する熱交換及び冷却されたブラインによって水素ガスを冷却する熱交換を１つの容器内で行うことができ、ブライン用の貯槽やブライン循環用の配管及びポンプを省略でき、冷却設備の小型化及び設備費の低減を図れる。また、冷凍機の低温冷媒を冷熱源とするので、液化ガスを冷熱源として使用するものに比べてランニングコストを低減することができる。
【図面の簡単な説明】
【００１２】
【図１】本発明の熱交換器の一形態例を示す断面正面図である。
【図２】図１の熱交換器の平面図である。
【図３】図１のIII−III断面図である。
【発明を実施するための形態】
【００１３】
本形態例に係る熱交換器１１は、ブラインが充填される真空断熱された二重壁構造の縦長有底円筒状の容器１２と、該容器１２の上部開口を塞ぐ円板状の蓋１３と、該蓋１３の中心を貫通して容器１２の軸線方向に配置された回転軸１４と、該回転軸１４の上下に複数個設けられた軸流式のプロペラ１５と、前記回転軸１４及びプロペラ１５の周囲に上下２段に配設された螺旋状の第１水素ガス冷却管１６及び第２水素ガス冷却管１７と、前記第１水素ガス冷却管１６及び第２水素ガス冷却管１７の周囲に軸線方向に配設された複数本のブライン冷却用の冷媒管１８とを備えている。
【００１４】
該複数本のブライン冷却用の冷媒管１８のそれぞれは、前記第１水素ガス冷却管１６の上方位置に配設された環状の上部マニホールド１９と前記第２水素ガス冷却管１７の下方位置に配設された環状の下部マニホールド２０とに上下端を連通状態に接続している。このブライン冷却用の冷媒管１８は、冷凍サイクルにおける蒸発器に相当するものであって、減圧された液冷媒が蒸発する際に発生する冷熱により、冷媒管１８の周囲のブラインを冷却する。
【００１５】
前記容器１２は、容器下部に３本以上の支持脚２１が設けられ、軸線を垂直にして自立できるように形成されている。また、容器１２の底部には、容器１２内に充填されているブラインをメンテナンス時等に排出するためのドレイン２２が設けられている。
【００１６】
前記蓋１３は、前記容器１２の上部外縁に設けられたフランジ１２ａに多数のボルト及びナットからなる締結具２３にて着脱可能に固着されている。前記蓋１３の外面中央部には、図示しないエアーモータにより回転駆動される駆動軸２４の回転速度を減速して前記回転軸１４に伝達するカバー付きの減速機２５が設置されており、エアーモータを作動させることにより、前記駆動軸２４、減速機２５及び回転軸１４を介して前記プロペラ１５を回転させる。容器１２内の前記ブラインは、このプロペラの回転により、前記第１水素ガス冷却管１６及び第２水素ガス冷却管１７の内周側を上昇し、第１水素ガス冷却管１６の上方から前記冷媒管１８の外側を下降して第２水素ガス冷却管１７の下方から第２水素ガス冷却管１７の内周側に循環する。
【００１７】
前記蓋１３には、水素ガス供給源からの水素ガスを、前記第１水素ガス冷却管１６及び前記第２水素ガス冷却管１７にそれぞれ供給する第１水素ガス導入管１６ａ及び第２水素ガス導入管１７ａと、前記第１水素ガス冷却管１６及び前記第２水素ガス冷却管１７で冷却された水素ガスを導出して使用先、例えば自動車の燃料タンクへ送出する第１水素ガス導出管１６ｂ及び第２水素ガス導出管１７ｂとが設置されている。各水素ガス冷却管１６，１７と各第１水素ガス導出管１６ｂ及び第２水素ガス導出管１７ｂとは、突き合わせ溶接により継手を必要としない接合構造により接続されている。
【００１８】
また、前記第１水素ガス導入管１６ａは、前記第１水素ガス冷却管１６の外側に沿って軸線方向に配設され、前記第１水素ガス冷却管１６の下端に連通しており、前記第１水素ガス導出管１６ｂは、前記第１水素ガス冷却管１６の上端に連通している。前記第２水素ガス導入管１７ａは、前記第１水素ガス冷却管１６及び前記第２水素ガス冷却管１７の外側に沿って軸線方向に配設され、前記第２水素ガス冷却管１７の下端に連通している。また、前記第２水素ガス導出管１７ｂは、前記第２水素ガス冷却管１７の上端に連通して、前記第１水素ガス導出管１６ｂの外側に沿って軸線方向に配設されている。
【００１９】
さらに、前記蓋１３を貫通して、ブライン冷却用の低温冷媒を、前記下部マニホールド２０から各ブライン冷却用冷媒管１８に導入する冷媒導入管２０ａと、前記上部マニホールド１９から導出する冷媒導出管１９ａとが設置されている。前記冷媒導入管２０ａは、前記冷媒管１８の内周側で、前記第１水素ガス導入管１６ａ、前記第２水素ガス導入管１７ａ、前記第１水素ガス導出管１６ｂ、前記第２水素ガス導出管１７ｂの間に軸線方向に配設されている。
【００２０】
なお、ブライン冷却用の低温冷媒については、液化窒素のような液化ガスを用いることもできるが、冷凍サイクルを用いた冷凍機（図示せず）のフロン等を使用することでランニングコストを低減することができ、好ましい。
【００２１】
前記第１・第２水素ガス冷却管１６，１７、上部マニホールド１９及び下部マニホールド２０、複数のブライン冷却用冷媒管１８は、平面視で、容器１２の軸線上に配置されている前記回転軸１４を中心にして内側から、前記第１・第２水素ガス冷却管１６，１７、複数のブライン冷却用冷媒管１８の順に同心円上に配置され、上部マニホールド１９及び下部マニホールド２０は、回転軸１４を中心とした円形に形成されている。
【００２２】
また、前記蓋１３の内面とブラインの液面との間には、ブラインの熱膨張に対処するための気相部が設けられるとともに、この気相部に、ブラインの変質を防止するためのドライガスを常時供給するドライガス供給管２６ａ及び供給されたドライガスを排気するドライガス排出管２６ｂが前記蓋１４を貫通して設けられている。
【００２３】
次に、この熱交換器１１を用いて水素ガスを自動車の燃料タンクに充填する使用例を説明する。まず、前記ドライガス供給管２６ａ及びドライガス排出管２６ｂの弁を開いて前記気相部をドライガスで満たした状態とし、前記冷媒導入管２０ａ及び冷媒導出管１９ａの弁を開き、冷凍機の膨張弁（図示せず）で膨張した液冷媒あるいは該液冷媒が蒸発した低温のガス冷媒を冷媒管１８に導入し、冷媒管１８を介して低温サイクルの低温冷媒とブラインとを熱交換させることによりブラインを冷却するとともに、図示しないエアーモータで駆動軸２４、減速機２５、回転軸１４を介してプロペラ１５を回転させ、ブラインを容器１２内で循環させることにより、容器１２内のブラインをあらかじめ設定されたブライン冷却温度まで冷却する。ブラインの温度がブライン冷却温度に達したら、冷凍機を停止して冷媒管１８への低温冷媒の導入を中断するとともに、エアーモータを停止してブラインの循環も中断し、熱交換器１１を待機状態とする。この待機状態でブラインの温度があらかじめ設定された上限温度に上昇したときには、再び冷凍機及びエアーモータを作動させてブラインをブライン冷却温度に冷却する。
【００２４】
あらかじめ圧縮された高圧の水素ガスを自動車の燃料タンクへ充填する際には、第１水素ガス導入管１６ａ及び第２水素ガス導入管１７ａの弁をそれぞれ開き、前記第１水素ガス冷却管１６及び前記第２水素ガス冷却管１７の下端に水素ガス供給源からの水素ガスをそれぞれ供給すると同時に、冷凍機及びエアーモータを作動させてブラインの冷却及びブラインの循環を再開する。供給された水素ガスは、前記第１水素ガス冷却管１６及び前記第２水素ガス冷却管１７を上昇しながら、あらかじめ冷却されたブラインと熱交換を行い、所定温度に冷却されて第１水素ガス導出管１６ｂ及び第２水素ガス導出管１７ｂに導出され、充填用配管を介して燃料タンクに充填される。
【００２５】
このように、ブラインが充填された容器１２内に、螺旋状の前記水素ガス冷却管１６，１７と、ブライン冷却用の前記冷媒管１８とを配設したことにより、従来のブライン貯槽、ブライン循環用の配管及びポンプを省略して水素ガス冷却設備の小型化を図ることができる。また、容器１２の軸線方向に配置した回転軸１４にプロペラ１５を設けてブラインを容器１２内で循環させることにより、冷媒管１８内を流れる低温冷媒とブラインとの熱交換及び水素ガス冷却管１６，１７内を流れる水素ガスとブラインとの熱交換を効果的に行うことができ、それぞれの熱交換効率を向上させて熱交換器１１の小型化も図ることができる。
【００２６】
また、回転軸１４、第１水素ガス導入管１６ａ、第２水素ガス導入管１７ａ、第１水素ガス導出管１６ｂ、第２水素ガス導出管１７ｂ、冷媒導入管２０ａ、冷媒導出管１９ａ、ドライガス供給管２６ａ及びドライガス排出管２６ｂのすべてを蓋１３に設けているので、容器１２の周壁に配管接続用の加工を施す必要がなく、各配管の接合や組み立ても蓋１３の部分で行うことができるので、熱交換器１１の製作も容易に行うことができ、製造コストを低減することができる。さらに、熱交換器１１のメンテナンスも、ドレイン２２から容器１２内のブラインを排出して蓋１３を取り外すことにより容易に行うことができ、保守コストの低減も図れる。加えて、あらかじめブラインを冷却して待機状態としておくことにより、水素ガス充填開始時から水素ガスを効果的に冷却することができる。
【００２７】
なお、上述の形態例では、前記気相部に常時新鮮なドライガスを供給しているが、予めドライガスで満たしておくこともできる。また、ドライガスとしては、窒素ガスが最適であるが、窒素以外の不活性ガスや乾燥空気も使用可能である。
【００２８】
さらに、上述の形態例では水素ガス冷却管を上下２段構成としているが、容器の高さなどの条件によっては上下３段以上に配設することも可能であり、１段にすることもできる。水素ガス冷却管における螺旋のコイル径は、水素ガスの流量、管のサイズ等によって異なるが、一般的には、１００ｍｍ〜５００ｍｍの範囲が好ましく、螺旋の隙間間隔は、５ｍｍ〜３２ｍｍの範囲が好ましい。
【００２９】
また、上述の形態例によれば、前記駆動軸の駆動にエアーモータを採用しているが、電気モータを使用することも可能であり、プロペラは、水素ガス冷却管の長さによって異なり、複数個設置することが好ましいが、１個のみとすることもできる。
【００３０】
さらに、上述の形態例では、上部マニホールド及び下部マニホールドを設けて直管状の冷媒管を複数本配置するようにしているが、冷媒管を水素ガス冷却管と同様の螺旋形状として各マニホールドを省略することもできる。
【００３１】
また、冷媒管や水素ガス冷却管として、フィン付き管や内面に螺旋状の溝を形成した管を用いることにより、伝熱面積を大きくして伝熱効果を促進することがきる。また、内面に螺旋状の溝を形成した管を使用することにより、管内を流れる流体の乱流を促進することができ、伝熱効率を更に向上させることができる。
【符号の説明】
【００３２】
１１…熱交換器、１２…容器、１３…蓋、１４…回転軸、１５…プロペラ、１６…第１水素ガス冷却管、１６ａ…第１水素ガス導入管、１６ｂ…第１水素ガス導出管、１７…第２水素ガス冷却管、１７ａ…第２水素ガス導入管１７ａ、１７ｂ…第２水素ガス導出管、１８…冷媒管、１９…上部マニホールド、２０…下部マニホールド、２１…支持脚、２２…ドレイン管、２３…締結具、２４…駆動軸、２５…減速機、２６ａ…ドライガス供給管、２６ｂ…ドライガス排出管
【図１】
2013002161.tif 000003
【図２】
2013002161.tif 000004
【図３】
2013002161.tif 000005
【国際調査報告】
2013002161.tif 000006
2013002161.tif 000007
2013002161.tif 000008
2013002161.tif 000009